(57)【要約】【課題】原稿の画像データにおいて、原稿を読み取った画素と、原稿を読み取っていない画素と、を正確に判別する。【解決手段】画像読取装置は、一方側で原稿が搬送されるコンタクトガラス、一方側に向けて光を照射する第１ランプ、第１ランプが照射した原稿の反射光が入射されるイメージセンサー、第１ランプが照射しコンタクトガラスを通過した光が入射される光吸収部材、イメージセンサーに光を照射する第２ランプ、原稿を読み取るとき、第１期間では第１ランプを点灯し第２ランプを消灯し、第２期間では第２ランプを点灯し第１ランプを消灯する制御部、第１期間の読み取りで得られた第１画像データと第２期間の読み取りで得られた第２画像データに基づき、第１画像データの各画素が、原稿を読み取った画素か、原稿を読み取っていない画素かを判定する判定部を含む。【選択図】図９
2018085696.tif 000002
【特許請求の範囲】
【請求項１】
一方側で原稿が搬送されるコンタクトガラスと、
前記コンタクトガラスの他方側に設けられ、前記コンタクトガラスの一方側に向けて光を照射する第１ランプと、
前記コンタクトガラスの他方側に設けられ、前記第１ランプが照射し、原稿で反射された光が入射されるイメージセンサーと、
前記コンタクトガラスの一方側に設けられ、前記第１ランプが照射し、前記コンタクトガラスを通過した光の照射先に設けられる光吸収部材と、
前記コンタクトガラスの一方側に設けられ、原稿搬送経路よりも前記コンタクトガラスから離れた位置に設けられ、前記イメージセンサーに向けて光を照射する第２ランプと、
原稿を読み取るとき、１ラインの読取期間中、第１期間では前記第１ランプを点灯させつつ前記第２ランプを消灯し反射光による読み取りを行わせ、第２期間では前記第２ランプを点灯させつつ前記第１ランプを消灯し透過光による読み取りを行わせる制御部と、
前記第１期間の読み取りで得られた第１画像データと前記第２期間の読み取りで得られた第２画像データに基づき、前記第１画像データの各画素が、原稿を読み取った画素である原稿有り画素であるか、原稿を読み取っていない画素である原稿無し画素であるか、判定する判定部を含み、
前記判定部は、
前記第１画像データのうち予め定められた第１閾値よりも明るい濃度値を有する画素を原稿有り画素と判定し、
前記第２画像データのうち予め定められた第２閾値よりも暗い濃度値を有する暗画素を確認し、前記第１画像データのうち前記暗画素に対応する位置の画素を原稿有り画素と判定することを特徴とする画像読取装置。
【請求項２】
前記判定部は、前記第２画像データのうち前記第２閾値と同じ、又は、前記第２閾値よりも明るい濃度値を有する明画素を確認し、前記第１画像データのうち前記明画素に対応する位置の画素であって、前記第１閾値と同じ、又は、前記第１閾値よりも暗い濃度値を有する画素を原稿無し画素と判定することを特徴とする請求項１に記載の画像読取装置。
【請求項３】
前記コンタクトガラスの一方側に直角プリズムが設けられ、
前記直角プリズムは、前記第１ランプからの光であって前記コンタクトガラスを通過した光が入射され、前記第１ランプからの光を前記光吸収部材に入射するように設けられ、
また、前記直角プリズムは、前記第２ランプからの光が入射され、前記第２ランプから入射した光を前記コンタクトガラス及び前記イメージセンサーに向けて照射するように設けられることを特徴とする請求項１又は２に記載の画像読取装置。
【請求項４】
前記第２ランプと前記直角プリズムの間に設けられ、前記第２ランプからの光を透過し、前記第２ランプからの光を拡散する拡散板を含むことを特徴とする請求項３に記載の画像読取装置。
【請求項５】
前記第１画像データ内のうち、前記原稿あり画素の領域の幅に基づき、原稿のサイズを認識するデータ処理部を含むことを特徴とする請求項１乃至４の何れか１項に記載の画像読取装置。
【請求項６】
前記データ処理部は、前記原稿有り画素と前記原稿無し画素の判定結果に基づき原稿の輪郭を認識し、認識した原稿の輪郭に基づき原稿の欠けを検出し、
また、原稿の欠けの検出を報知する報知部を含むことを特徴とする請求項５に記載の画像読取装置。
【請求項７】
前記データ処理部は、前記第１画像データ内の領域であって、前記原稿有り画素に囲まれた前記原稿無し画素の領域である穴領域を検出し、前記穴領域の画素の濃度値を白、又は、地肌の色に変更することを特徴とする請求項５又は６に記載の画像読取装置。
【請求項８】
前記データ処理部は、前記原稿有り画素と前記原稿無し画素の境界に基づき、傾き方向と傾き量を求め、傾きが無くなるように前記第１画像データの回転処理を行うことを特徴とする請求項５乃至７の何れか１項に記載の画像読取装置。
【請求項９】
請求項１乃至８の何れか１項に記載の画像読取装置を含むことを特徴とする画像形成装置。
【発明の詳細な説明】
【技術分野】
【０００１】
本発明は、原稿を読みとって画像データを生成する画像読取装置、及び、この画像読取装置を備えた画像形成装置に関する。
【背景技術】
【０００２】
用紙の両面に対して光を照射し、用紙に関する検知を行うことがある。例えば、特許文献１記載の技術では、用紙の両面に光を照射する。そして、用紙の反射率、透過率が検知される。反射率、透過率に基づき、用紙の厚さが認識される。特許文献１に記載の画像形成装置は、用紙の厚さに応じた印刷を行う。例えば、用紙の厚さに応じ、転写電流や定着装置の温度を変える。
【０００３】
具体的に、特許文献１には、画像形成を行うプリンタエンジン、媒体（用紙）をプリンタエンジンに供給する供給部、搬送経路の所定位置で媒体に対して光を照射する発光素子、照射光の媒体での透過光を受光する透過光受光素子、照射光の媒体での反射光を受光する反射光受光素子を、含み、照射光、透過光、及び、反射光の受光を検出し、透過光受光素子及び反射光受光素子の検出信号に基づいて媒体の厚さを判定し、判定結果に基づいて所定の制御を行う画像形成装置が記載されている（特許文献１：請求項１参照）。
【先行技術文献】
【特許文献】
【０００４】
【特許文献１】特開２００５−０７０５０８号公報
【発明の概要】
【発明が解決しようとする課題】
【０００５】
画像読取装置（スキャナー）には、光源が設けられる。光源は原稿に光を照射する。原稿で光が反射される。反射光はイメージセンサーに入射される。原稿で反射された光に基づき、原稿が読み取られる。
【０００６】
原稿を読み取る場合、原稿の端部の位置、傾き、穴の有無のような原稿に関する情報を得たい場合がある。端部の位置を認識できれば、原稿の正確なサイズを検知することができる。原稿の傾きを正確に検知できれば、傾きを正確に補正することができる。原稿の穴の有無を正確に検知できれば、画像データから不要な穴を容易に消すことができる。
【０００７】
これらの原稿に関する情報を得るには、原稿の読み取りで得られた画像データのうち、原稿がある部分と無い部分を判別する必要がある。つまり、画像データのうち、原稿を読み取った画素と原稿を読み取っていない画素を判別する必要がある。
【０００８】
しかし、従来、原稿の背景となる部材には、白色の部材が用いられている。つまり、光源やイメージセンサーからみて、原稿の奥側に白色板が配される。原稿を読み取っていない画素の濃度値（画素値）は白く（明るく）なる。そして、用紙は白色の場合が多い。反射光に基づき読み取られた画像データでは、原稿を読み取った画素と、原稿を読み取っていない画素を正確に判別できない場合があるという問題がある。
【０００９】
特許文献１記載の画像形成装置は、画像読取装置と同様に用紙に光を照射する。具体的に、用紙の両面に光を照射する。求めた反射率、透過率に基づき、用紙が厚紙か否かが判別される。しかし、画像データのうち、原稿を読み取った画素と原稿を読み取っていない画素を判別することはできない。従って、上記の問題を解決することはできない。
【００１０】
本発明は、上記従来技術の問題点に鑑み、原稿の画像データにおいて、原稿を読み取った画素と、原稿を読み取っていない画素と、を正確に判別する。
【課題を解決するための手段】
【００１１】
上記目的を達成するため、請求項１に係る画像読取装置はコンタクトガラス、第１ランプ、イメージセンサー、光吸収部材、第２ランプ、制御部、判定部を含む。前記コンタクトガラスは、一方側で原稿が搬送される。前記第１ランプは前記コンタクトガラスの他方側に設けられる。前記第１ランプは前記コンタクトガラスの一方側に向けて光を照射する。前記イメージセンサーは、前記コンタクトガラスの他方側に設けられる。前記イメージセンサーは、前記第１ランプが照射し、原稿で反射された光が入射される。前記光吸収部材は前記コンタクトガラスの一方側に設けられる。前記光吸収部材は、前記第１ランプが照射し、前記コンタクトガラスを通過した光の照射先に設けられる。前記第２ランプは前記コンタクトガラスの一方側に設けられる。前記第２ランプは原稿搬送経路よりも前記コンタクトガラスから離れた位置に設けられ、前記イメージセンサーに向けて光を照射する。前記制御部は、原稿を読み取るとき、１ラインの読取期間中、第１期間では前記第１ランプを点灯させつつ前記第２ランプを消灯し反射光による読み取りを行わせ、第２期間では前記第２ランプを点灯させつつ前記第１ランプを消灯し透過光による読み取りを行わせる。前記判定部は、前記第１期間の読み取りで得られた第１画像データと前記第２期間の読み取りで得られた第２画像データに基づき、前記第１画像データの各画素が、原稿を読み取った画素である原稿有り画素であるか、原稿を読み取っていない画素である原稿無し画素であるか、判定する。前記判定部は、前記第１画像データのうち予め定められた第１閾値よりも明るい濃度値を有する画素を原稿有り画素と判定する。前記判定部は、前記第２画像データのうち予め定められた第２閾値よりも暗い濃度値を有する暗画素を確認し、前記第１画像データのうち前記暗画素に対応する位置の画素を原稿有り画素と判定する。
【発明の効果】
【００１２】
本発明によれば、画像データにおいて、原稿を読み取った画素と、原稿を読み取っていない画素を正確に判別できる画像読取装置、画像形成装置を提供することができる。
【図面の簡単な説明】
【００１３】
【図１】実施形態に係る複合機の一例を示す図である。
【図２】実施形態に係る画像読取装置の一例を示す図である。
【図３】実施形態に係る画像読取装置の一例を示す図である。
【図４】実施形態に係る送り読取用コンタクトガラス部分の拡大図である。
【図５】実施形態に係る送り読取用コンタクトガラス部分の拡大図である。
【図６】実施形態に係る送り読取用コンタクトガラス部分の拡大図である。
【図７】実施形態に係る第１ランプと第２ランプの一例を示す図である。
【図８】実施形態に係る画像読取装置での送り読み取りの流れの一例を示すフローチャートである。
【図９】実施形態に係る画像読取装置での原稿有り画素と原稿無し画素の判定の一例を示すフローチャートである。
【図１０】実施形態に係る判定部とデータ処理部の一例を示す図である。
【発明を実施するための形態】
【００１４】
以下、図１〜図１０を用い、画像読取装置１００と、画像読取装置１００を備えた画像形成装置を説明する。画像形成装置として複合機２００を例に挙げて説明する。本実施形態の説明に記載されている構成、配置等の各要素は、発明の範囲を限定せず単なる説明例にすぎない。
【００１５】
（複合機２００）
図１を用いて、実施形態に係る複合機２００を説明する。図１は、実施形態に係る複合機２００の一例を示す図である。
【００１６】
図１に示すように、複合機２００は原稿搬送部１、画像読取部２、主制御部３、記憶部３１、印刷部４、操作パネル５（報知部に相当）、通信部３２を含む。画像読取装置１００は、原稿搬送部１、画像読取部２、操作パネル５を含む。
【００１７】
主制御部３は、複合機２００の全体制御を司る。主制御部３は、ＣＰＵ３ａと画像処理部３ｂを含む。複合機２００は、記憶部３１を含む。記憶部３１は、ＲＯＭ、ＨＤＤ、フラッシュＲＯＭのような不揮発性の記憶装置を含む。記憶部３１はＲＡＭのような揮発性の記憶装置を含む。主制御部３は、記憶部３１に記憶されたプログラムやデータを利用して各部を制御する。主制御部３は、コピーや送信のようなジョブでのスキャンを制御する。また、主制御部３は、印刷、送信、画像データの記憶を制御する。画像処理部３ｂは、画像読取部２が生成した画像データに、ジョブに応じた画像処理を行う。
【００１８】
印刷部４は、給紙部４１、用紙搬送部４２、画像形成部４３、定着部４４を含む。印刷ジョブのとき、主制御部３は用紙を給紙部４１に供給させる。主制御部３は用紙を用紙搬送部４２に搬送させる。用紙搬送部４２は印刷済み用紙を機外に排出する。主制御部３は画像データに基づくトナー像を画像形成部４３に形成させる。主制御部３は搬送用紙へのトナー像の転写を画像形成部４３に行わせる。主制御部３は転写されたトナー像の用紙への定着を定着部４４に行わせる。このように、主制御部３は印刷部４の動作を制御する。
【００１９】
操作パネル５は、表示パネル５１、タッチパネル５２、ハードキー５３を含む。主制御部３は、複合機２００の状態に関するメッセージや、設定用画面を表示パネル５１に表示させる。タッチパネル５２の出力に基づき、主制御部３は、表示パネル５１に表示された操作画像のうち、操作されたものを認識する。操作画像はキーやボタンである。ハードキー５３は、スタートキーやテンキーを含む。スタートキーはジョブの実行開始を指示するためのキーである。テンキーは数字を入力するためのキーである。操作パネル５は、タッチパネル５２、ハードキー５３に対する設定操作（ジョブに関する操作）を受け付ける。主制御部３は、操作パネル５と通信する。主制御部３は設定内容を認識する。なお、操作パネル５は、画像読取装置１００に関する設定や表示を行う部分としても機能する。
【００２０】
複合機２００は、通信部３２を含む。通信部３２は、コンピューター３００やＦＡＸ装置４００と通信可能に接続される。コンピューター３００は、例えば、ＰＣやサーバーである。コンピューター３００やＦＡＸ装置４００が操作パネル５で宛先に設定される。主制御部３は、設定された宛先に向けて、原稿の読み取り結果に基づく画像データを通信部３２に送信させる（スキャン送信、ＦＡＸ送信）。また、通信部３２は、コンピューター３００やＦＡＸ装置４００からの印刷用データを受信する。主制御部３は、受信した印刷用データに基づき印刷部４に印刷させる（プリントジョブ、ＦＡＸ受信印刷）。
【００２１】
（画像読取部２と原稿搬送部１）
次に、図２、３を用いて、実施形態に係る画像読取装置１００を説明する。図２、図３は、実施形態に係る画像読取装置１００の一例を示す図である。
【００２２】
図２に示すように、原稿搬送部１は、画像読取部２の上方に設けられる。原稿搬送部１は、画像読取部２に対し上下方向に開閉する。原稿搬送部１は原稿を上方から押さえるカバーとして機能する。原稿搬送部１は、セットされた原稿を送り読取用コンタクトガラス２１（読み取り位置）に向けて搬送する。原稿搬送部１は、原稿搬送方向上流側から順に、原稿トレイ１１、供給ローラー１２、原稿搬送路１３、複数の搬送ローラー対１４、排出ローラー対１５、排出トレイ１６を含む。原稿トレイ１１には、原稿セットセンサー１７が設けられる（図２参照）。
【００２３】
図３に示すように、画像読取装置１００（原稿搬送部１）内には原稿搬送制御部１０が設けられる。原稿搬送制御部１０はＣＰＵやメモリーを含む基板である。原稿セットセンサー１７の出力は原稿搬送制御部１０に入力される。原稿搬送制御部１０は、原稿セットセンサー１７の出力に基づき、原稿トレイ１１上の用紙の有無を認識する（検知する）。
【００２４】
原稿読み取りを行うジョブの実行指示が操作パネル５になされたとき（スタートキーが操作されたとき）、主制御部３は、原稿搬送制御部１０と通信する。主制御部３は原稿トレイ１１にセットされた原稿があるか否かを確認する。原稿トレイ１１に原稿があるとき、主制御部３は原稿搬送指示を出す。この指示を受け、原稿搬送制御部１０は原稿搬送モーター１８を駆動させる。原稿搬送モーター１８により、供給ローラー１２や搬送ローラー対１４が回転する。そして、原稿は読み取り位置に向けて搬送される。原稿は、画像読取部２の上面に設けられる送り読取用コンタクトガラス２１の上側（一方側）を通過する。通過の際、画像読取部２（読取ユニット６）が原稿を読み取る（送り読み取り）。
【００２５】
図２において、画像読取部２の上面左側に、送り読取用コンタクトガラス２１が設けられる。画像読取部２の上面かつ、送り読取用コンタクトガラス２１の右側に、載置読取用コンタクトガラス２２が配される。載置読取用コンタクトガラス２２には、書籍のような原稿がセットされる。原稿搬送部１に原稿がセットされていないとき、画像読取部２は、載置読取用コンタクトガラス２２にセットされた原稿に光を照射する。画像処理部３ｂはセット原稿の表面を読み取って画像データを生成する（テーブル読み取り）。
【００２６】
図３に示すように、画像読取部２には、読取制御部２０（制御部に相当）が設けられる。読取制御部２０は画像読取部２の動作を制御する。読取制御部２０は、スキャナＣＰＵ２０ａ、スキャナメモリー２０ｂ、その他の回路を含む基板である。読取制御部２０は、主制御部３からの指示、信号を受け、原稿の読み取りを行う。
【００２７】
図２に示すように、画像読取部２は、読取ユニット６、ワイヤー２３、巻取ドラム２４を含む。ワイヤー２３は読取ユニット６と巻取ドラム２４に接続される。巻取ドラム２４は、正逆回転する巻取モーター２５（図３参照）により回転する。テーブル読み取りのとき、読取制御部２０は、巻取ドラム２４を回転させる。これにより、読取ユニット６を水平方向（副走査方向、図２の左右方向）に移動させる。送り読み取りのとき、読取制御部２０は、送り読取用コンタクトガラス２１の下方に読取ユニット６を固定する。
【００２８】
図３に示すように、画像読取部２内に読取ユニット６、画像データ生成部７、判定部８、データ処理部９が設けられる。読取ユニット６はＣＩＳ方式のユニットである。読取ユニット６は原稿に光を照射する。読取ユニット６はイメージセンサー６２を含む。イメージセンサー６２は主走査方向に並べられた受光素子（画素）を含む。各受光素子は反射光量に応じたアナログ電気信号を出力する。判定部８、データ処理部９の詳細は後述する。
【００２９】
画像データ生成部７は、Ａ／Ｄ変換部７１、補正部７２、画像メモリー７３を含む。Ａ／Ｄ変換部７１は、イメージセンサー６２の各受光素子のアナログ信号を処理する。Ａ／Ｄ変換部７１は、各受光素子のアナログ信号をディジタル値に変換する（例えば、８ビットや１０ビット）。補正部７２は、読み取りに起因する画像の濃度の歪みを補正する処理を行う。例えば、補正部７２はシェーディング補正を行う。画像データ生成部７により生成された各ラインの画像データは、画像メモリー７３に蓄積される。
【００３０】
（送り読取に関する機構）
次に、図４を用いて実施形態に係る画像読取装置１００での送り読取に関する機構を説明する。図４〜図６は、実施形態に係る送り読取用コンタクトガラス２１部分の拡大図である。図７は、実施形態に係る第１ランプ６３と第２ランプ６５の一例を示す図である。
【００３１】
図４〜図６に示すように、読取ユニット６は送り読取用コンタクトガラス２１の下側（他方側）に設けられる。読取ユニット６は、断面略Ｕ字状の筐体６１を有する。図４〜図６の紙面垂直方向が筐体６１の長手方向である。筐体６１の長手方向は主走査方向である。
【００３２】
読取ユニット６の筐体６１内に、イメージセンサー６２、第１ランプ６３、ロッドレンズアレイ６４が設けられる。つまり、イメージセンサー６２、第１ランプ６３、ロッドレンズアレイ６４は、送り読取用コンタクトガラス２１の下側（他方側）に設けられる。なお、搬送される原稿は、送り読取用コンタクトガラス２１の上側（一方側）を通過する。
【００３３】
図４〜図６において、第１ランプ６３は、ロッドレンズアレイ６４（イメージセンサー６２、読取ライン）の右側に設けられる。図７に示すように、第１ランプ６３は、棒状（線状）の第１導光体６３ａを含む。また、図７に示すように、第１導光体６３ａの長手方向の両端部に第１光源６３ｂが設けられる。例えば、第１光源６３ｂはＬＥＤである。
【００３４】
第１導光体６３ａは主走査方向と平行である。第１導光体６３ａは、端部（端面）から入射された光を主走査方向に沿って伝える。第１導光体６３ａ内には、主走査方向に複数の反射部（反射板）が設けられる。各反射部の間隔は光源から離れるほど狭くなる。各反射部は端部から入射された光の一部を反射する。反射部で反射された光は出射面から放出される。その結果、第１導光体６３ａは、第１ランプ６３は主走査方向にそって帯状に均等な光を放つ。原稿を読み取るとき、読取制御部２０は第１ランプ６３（第１光源６３ｂ）を点灯させる。第１ランプ６３は、主走査方向に沿って、送り読取用コンタクトガラス２１や搬送原稿に光を照射する。第１ランプ６３は送り読取用コンタクトガラス２１の一方側に向けて光を照射する。
【００３５】
筐体６１の内部下面に、イメージセンサー６２が設けられる。第１光源６３ｂが照射し、原稿で反射された光はイメージセンサー６２に入射される。イメージセンサー６２は、ラインセンサーである。イメージセンサー６２は、主走査方向（図４〜図６の紙面垂直方向）に沿って配列された複数の受光素子（光電変換素子）を含む。イメージセンサー６２は、Ａ３サイズの用紙を読み取れるように、Ａ３サイズの用紙の短辺よりも長い。イメージセンサー６２には所定の周波数のクロック信号が入力される。クロック信号にあわせて各受光素子の出力が順番に画像データ生成部７（Ａ／Ｄ変換部７１）に入力される。
【００３６】
ロッドレンズアレイ６４がイメージセンサー６２と送り読取用コンタクトガラス２１の間に設けられる。言い換えると、ロッドレンズアレイ６４はイメージセンサー６２の上方に設けられる。ロッドレンズアレイ６４は、複数本のロッドレンズを主走査方向に複数本並べたものである。ロッドレンズアレイ６４は読取対象（原稿）の反射光をイメージセンサー６２に導く。
【００３７】
図４〜図６に示すように、送り読取用コンタクトガラス２１の上側（一方側）には、第２ランプ６５、光吸収部材６６、直角プリズム６７、拡散板６８が設けられる。第２ランプ６５は、原稿の搬送経路よりも送り読取用コンタクトガラス２１から離れた位置に設けられる。第２ランプ６５は、イメージセンサー６２に向けて光を照射する。言い換えると、第２ランプ６５は原稿搬送経路の上側から光を照射する。図７に示すように、第２ランプ６５は、第１ランプ６３と同様の構成である。第２ランプ６５は棒状（線状）の第２導光体６５ａを含む。第２導光体６５ａは第１導光体６３ａと同様のものである。また、図７に示すように、第２導光体６５ａの長手方向の両端部に第２光源６５ｂが設けられる。例えば、第２光源６５ｂはＬＥＤである。第１光源６３ｂと第２光源６５ｂには同じ仕様のＬＥＤを用いることができる。
【００３８】
光吸収部材６６は、第１ランプ６３が照射し、送り読取用コンタクトガラス２１を通過した光の照射先である。例えば、光吸収部材６６は黒色の部材である。光吸収部材６６は第１光源６３ｂからの光を吸収する。光吸収部材６６は、（白色の）用紙よりも光を吸収する。言い換えると、光吸収部材６６は、用紙に比べて反射率が低い部材である。図４〜図６に示すように、直角プリズム６７は、光吸収部材６６と第２ランプ６５と送り読取用コンタクトガラス２１の間に設けられる。図４に示すように、第１ランプ６３からの光であって、原稿で反射した光は、ロッドレンズアレイ６４を経て、イメージセンサー６２に入射される。
【００３９】
図５に示すように、直角プリズム６７には、第１ランプ６３からの光であってコンタクトガラスを通過した光が入射される。言い換えると、第１ランプ６３の光のうち、原稿で反射されなかった光が直角プリズム６７に入射される。直角プリズム６７は、第１ランプ６３からの光を光吸収部材６６に入射するように設けられる（取り付けられる）。その結果、第１ランプ６３の光のうち、原稿で反射されない光は光吸収部材６６に入射される。
【００４０】
また、直角プリズム６７は、第２ランプ６５からの光が入射される。図６に示すように、直角プリズム６７は、第２ランプ６５からの光をコンタクトガラス及びイメージセンサー６２に照射するように設けられる（取り付けられる）。また、第２ランプ６５と直角プリズム６７の間に拡散板６８が設けられる。拡散板６８は、第２ランプ６５からの光を拡散しつつ透過する。これにより、主走査方向にそって均等な光が直角プリズム６７、搬送原稿、送り読取用コンタクトガラス２１に照射される。
【００４１】
（送り読み取りの流れ）
次に、図３、図８を用いて、実施形態に係る画像読取装置１００での送り読み取りの流れの一例を説明する。図８は、実施形態に係る画像読取装置１００での送り読み取りの流れの一例を示すフローチャートである。
【００４２】
本説明では、１枚の原稿を送り読取で読み取る場合を説明する。図８のフローチャートは、１枚の原稿を送り読取で読み取る場合の流れの一例を示す。原稿トレイ１１に複数枚の原稿がセットされたとき、図８のフローチャートは各原稿に対して実行される。
【００４３】
図８のスタートは、原稿トレイ１１にセットされた原稿の読み取りを開始する時点である。例えば、操作パネル５で原稿を読み取るジョブの設定がなされ、スタートキーが操作された時点である。また、原稿トレイ１１には原稿がセットされている。まず、原稿搬送制御部１０は、原稿の搬送を開始させる（ステップ♯１１）。具体的に、原稿搬送制御部１０は原稿搬送モーター１８を回転させる。なお、原稿搬送モーター１８の定常回転速度は予め定められる。例えば、定常回転速度は、所定速度で原稿が搬送される速度とされる。所定速度は、１ラインの原稿読み取り期間に、副走査方向で１ライン分（１画素分）原稿が搬送される速度である。
【００４４】
原稿の搬送が続けられると、やがて、読取制御部２０は、原稿の先端が所定位置に到達したことを認識する（ステップ♯１２）。所定位置に原稿検知センサー２６が設けられる（図２参照）。図２では、送り読取用コンタクトガラス２１の１つ上流側の搬送ローラー対１４の近傍に原稿検知センサー２６を設ける例を示している。例えば、原稿検知センサー２６は光センサーである。原稿検知センサー２６は、原稿の存在を検知しているときとしていないときとで出力レベルが異なる。原稿検知センサー２６の出力は、読取制御部２０に入力される。読取制御部２０は、原稿検知センサー２６の設置位置に原稿の先端が到達したことを認識する。また、読取制御部２０は、原稿検知センサー２６の設置位置を原稿の後端が抜けたことを認識する。
【００４５】
先端到達認識から所定時間が経過したとき、読取制御部２０は原稿の１ライン分の読み取りを開始する（ステップ♯１３）。例えば、所定時間は、適宜定めることができる。画像読取装置１００では正確に原稿の端部（輪郭）を認識できる（詳細は後述）。従来のように、原稿の先端の送り読取用コンタクトガラス２１上の読み取りラインへの到達と同時に読み取りを開始する必要はない。そのため、原稿の先端が読み取りラインに到達する前から読み取りを開始してもよい。
【００４６】
１ラインの読み取り期間は、第１期間と第２期間に２分割される。例えば、１ラインの読み取り期間は２等分される。前半が第１期間とされる。後半が第２期間とされる。後半を第１期間とし、前半を第２期間としてもよい。第１期間では、読取制御部２０は、反射光による原稿読み取りをイメージセンサー６２に行わせる（ステップ♯１４）。ステップ♯１４では、読取制御部２０は、第１ランプ６３（第１光源６３ｂ）を点灯させ、第２ランプ６５（第２光源６５ｂ）を消灯させる。第２期間では、読取制御部２０は、透過光による原稿読み取りをイメージセンサー６２に行わせる（ステップ♯１５）。ステップ♯１５では、読取制御部２０は第１ランプ６３（第１光源６３ｂ）を消灯させ、第２ランプ６５（第２光源６５ｂ）を点灯させる。画像読取装置１００では、１ラインにつき、２回の読み取りが行われる。
【００４７】
第１期間の読み取り結果（各受光素子のアナログ電気信号）は、画像データ生成部７に入力される。第２期間の読み取り結果（各受光素子のアナログ電気信号）も、画像データ生成部７に入力される。画像データ生成部７は、第１期間の読み取りでのイメージセンサー６２の出力に基づき、１ライン分の第１画像データを生成する。画像データ生成部７は、第２期間の読み取りでのイメージセンサー６２の出力に基づき、１ライン分の第２画像データを生成する（ステップ♯１６）。各ラインの第１画像データ、第２画像データは画像メモリー７３に記憶される。例えば、画像メモリー７３は、少なくとも１ページ分の第１画像データと第２画像データを記憶する。
【００４８】
読取制御部２０は、１ページの読み取りが完了したか否かを確認する（ステップ♯１７）。言い換えると、読取制御部２０は、副走査方向の全ラインの読み取りが完了したか否かを確認する。例えば、原稿検知センサー２６の設置位置を原稿の後端が抜けてから所定時間が経過するまで、読み取りが続けられる。原稿の後端が読み取りラインを抜けてから読み取りを終了してもよい。読み取りが完了したとき（ステップ♯１７のＹｅｓ）、本フローは終了する（エンド）。読み取り未完了のとき（ステップ♯１７のＮｏ）、フローはステップ♯１４に戻り、次のラインの読み取りがなされる。
【００４９】
（原稿有り画素と原稿無し画素の判定）
次に、図３、図９、図１０を用いて、実施形態に係る画像読取装置１００での原稿有り画素と原稿無し画素の判定の流れの一例を説明する。図９は、実施形態に係る画像読取装置１００での原稿有り画素と原稿無し画素の判定の一例を示すフローチャートである。図１０は、実施形態に係る判定部８とデータ処理部９の一例を示す図である。
【００５０】
上述のように、送り読取では、１ページの原稿に対し、第１画像データと第２画像データが得られる。本判定では、１ページ分の第１画像データと１ページ分の第２画像データが用いられる。第１画像データは、第１ランプ６３の光に基づき原稿を読み取ったラインの画像データの束といえる。第２画像データは、第２ランプ６５の光に基づき原稿を読み取ったラインの画像データの束といえる。
【００５１】
図９のフローチャートは、１ページの原稿の読み取りが完了した時点である。このとき、画像メモリー７３には、少なくとも１ページ分の第１画像データと第２画像データが記憶されている。判定部８は、第１画像データと第２画像データに基づき、第１画像データの画素ごとに、原稿を読み取った画素である原稿有り画素であるか、原稿を読み取っていない画素である原稿無し画素であるかを判定する（ステップ♯２１）。判定部８は画像読取装置１００（画像読取部２）内に設けられる回路である。この判定のため、判定回路８０を含む。判定回路８０は同じ位置の第１画像データの画素の濃度値（画素値）と、第２画像データの画素の濃度値（画素値）を参照する。
【００５２】
まず、判定部８は、第１画像データのうち予め定められた第１閾値Ｔｈ１よりも明るい濃度値を有する画素を原稿有り画素と判定する（ステップ♯２１）。第１画像データにおいては、画素の濃度値が黒い（濃い、暗い）値になる要因は２つである。まず、光吸収部材６６により、イメージセンサー６２の背景は黒又は高濃度色とされる。そのため、原稿の反射光を受けていない画素（原稿をよみとっていない画素）の濃度値は暗い値になる。また、原稿の黒い（暗い）部分を読み取った画素の濃度値も暗い値になる。
【００５３】
一方、第１画像データにおいては、原稿のうち明るい部分を読み取って得られた画素の濃度値は明るい値になる。そこで、判定部８は、第１画像データのうち、第１閾値Ｔｈ１よりも白い（明るい、薄い）濃度値を有する画素を原稿有り画素とみなす。第１閾値Ｔｈ１は、スキャナメモリー２０ｂが不揮発的に記憶してもよい（記憶部３１でもよい）。第１閾値Ｔｈ１は適宜定めることができる。例えば、第１閾値Ｔｈ１は、濃度値の最大値と最小値の中央値としてもよい。例えば、１画素８ビットのとき、第１閾値Ｔｈ１は１２８程度としてもよい。中央値よりも暗い値としてもよいし、明るい値としてもよい。
【００５４】
また、判定部８は、第２画像データのうち予め定められた第２閾値Ｔｈ２よりも暗い濃度値を有する暗画素を確認し、第１画像データのうち暗画素に対応する位置の画素を原稿有り画素と判定する（ステップ♯２１）。第２画像データにおいては、原稿で第２ランプ６５の光（透過光）が遮られた画素の濃度値は黒い（暗い、濃い）値になる。また、第２ランプ６５の光（透過光）が原稿で遮られなかった画素の濃度値は白い（明るい、薄い）値になる。そこで、判定部８は、第１画像データのうち、暗画素に対応する位置の画素を原稿有り画素とみなす。
【００５５】
第２閾値Ｔｈ２は、スキャナメモリー２０ｂが不揮発的に記憶してもよい（記憶部３１でもよい）。第２閾値Ｔｈ２は適宜定めることができる。例えば、第２閾値Ｔｈ２も、濃度値の最大値と最小値の中央値（階調の中央値）としてもよい。中央値よりも暗い値としてもよいし、明るい値としてもよい。
【００５６】
更に、判定部８は、第２画像データのうち第２閾値Ｔｈ２と同じ、又は、第２閾値Ｔｈ２よりも明るい濃度値を有する明画素を確認する。判定部８は、第１画像データのうち明画素に対応する位置の画素であって、第１閾値Ｔｈ１と同じ、又は、第１閾値Ｔｈ１よりも暗い濃度値を有する画素を原稿無し画素と判定する。判定部８は、第２ランプ６５からの光が十分に到達しており、かつ、第１ランプ６３の光が光吸収部材６６に吸収されたと見なせる画素を原稿無し画素と判定する。
【００５７】
以下の表１に基づき、判定部８はステップ♯２１での判定を行う。
【表１】
2018085696.tif 000003
【００５８】
なお、濃い原稿は、第１ランプ６３の光の反射量が少なくなる。そのため、濃い原稿を読み取った画素は、第１閾値Ｔｈ１よりも濃度値が暗くなることがある。しかし、第２ランプ６５の光の透過量も少なくなる。つまり、地肌が濃い原稿は透過率も低くなる。そのため、原稿を読み取った画素の第１画像データの濃度値が反射光で暗くなり、かつ、第２画像データの濃度値が明るい場合はない。
【００５９】
判定部８の判定結果に基づき、データ処理部９が第１画像データの処理を行っていく。例えば、データ処理部９は、第１画像データ内のうち、原稿あり画素の領域の幅に基づき、原稿のサイズを認識する（ステップ♯２２）。図１０に示すように、原稿のサイズの認識のため、例えば、データ処理部９は、サイズ認識回路９１を含む。サイズ認識回路９１は、原稿のサイズ認識に関する処理、演算を行う。なお、以下では、第１画像データにおいて、主走査方向を上下方向、副走査方向を左右方向として説明する。
【００６０】
データ処理部９は、第１画像データのうち、主走査方向における最も一方端側にある画素（上端画素）と最も他方端側の画素（下端画素）を認識する。データ処理部９は、上端画素と下端画素の主走査方向での距離（上下方向での距離）を求める。言い換えると、データ処理部９は、上端画素から下端画素までの主走査方向での画素数を求める。データ処理部９は、求めた画素数に、１画素の幅を乗じて原稿の主走査方向の幅を求める。１画素の幅は読取解像度により定まる。６００ｄｐｉの場合、２５．４ｍｍ（１インチ）÷６００≒４２．３μｍが１画素の幅となる。
【００６１】
同様に、データ処理部９は、第１画像データのうち、副走査方向における最も一方端側にある画素（左端画素）と最も他方端側の画素（右端画素）を認識する。データ処理部９は、左端画素と右端画素の副走査方向における距離（左右方向での距離）を求める。言い換えると、データ処理部９は、左端画素から右端画素までの副走査方向での画素数を求める。データ処理部９は、求めた画素数に１画素の幅を乗じて原稿の副走査方向の幅を求める。そして、データ処理部９は、求めた主走査方向の幅と副走査方向の幅に最も近い定型サイズの用紙を原稿のサイズと認識する。
【００６２】
次に、第１画像データの原稿有り画素と原稿無し画素の判定結果に基づき、データ処理部９は、原稿の輪郭を認識する（ステップ♯２３）。言い換えると、データ処理部９は、原稿有り画素と原稿無し画素の境界を認識する。図１０に示すように、原稿の輪郭の認識のため、例えば、データ処理部９は、輪郭認識回路９２を含む。輪郭認識回路９２は、原稿の輪郭の認識に関する処理、演算を行う。
【００６３】
輪郭認識の手法の一例を説明する。例えば、データ処理部９は、第１画像データを左上から右下に向かって走査する。データ処理部９は、最初の原稿有り画素を最初の注目画素とする。データ処理部９は、注目画素のまわりの８画素から原稿有り画素を探す。最初の注目画素では、原稿有り画素を探すとき、データ処理部９は、注目画素の左の画素から始めて時計回りに一周する。データ処理部９は、見つかった最初の原稿有り画素を次の注目画素に設定する。そして、２つ目以降の注目画素では、データ処理部９は、左の画素からではなく、前の一周で見つかった最後の原稿無し画素から探し始める。データ処理部９は見つかった最初の原稿有り画素を次の注目画素に設定する。注目画素の設定を繰り返し、最初の注目画素まで戻ったとき、輪郭の認識は終了する。処理中、選択された注目画素を辿った線は、原稿の外側の輪郭線になる。なお、他のアルゴニズムに基づき、原稿の輪郭を認識してもよい。
【００６４】
破れや折れのある原稿を読み取った場合、原稿の情報の全てを読み取ることができないときがある。そこで、データ処理部９は、認識した輪郭に基づき、原稿の欠け（破れ又は折れ）を検出する（ステップ♯２４）。図１０に示すように、原稿の欠け検出の認識のため、例えば、データ処理部９は、欠け検出回路９３を含む。欠け検出回路９３は、原稿の欠けの検出に関する処理、演算を行う。
【００６５】
欠け検出の一例を説明する。原稿は通常矩形である。原稿有り画素の領域の輪郭は直線またはほぼ直線となる。また、原稿の隅は直角又はほぼ直角である。欠けのない原稿の外側の輪郭は、主走査方向（上下方向）に平行又はほぼ平行な２本の線を含む。欠けのない原稿の外側の輪郭は、副走査方向（左右方向）に平行又はほぼ平行な２本の線を含む。そこで、データ処理部９は、原稿の輪郭の直線であって、一定以上の長さを有する直線を定める。データ処理部９は、直線の角度（傾き）が予め定められた許容範囲外の直線がある場合、原稿の欠けがあると判断するようにしてもよい。データ処理部９は、直線の角度（傾き）が許容範囲外の直線がない場合、原稿の欠けがないと判断するようにしてもよい。
【００６６】
また、データ処理部９は、原稿のサイズを求める。求めた原稿のサイズを利用して原稿の欠けを検出してもよい。破れ、折れのある部分は、原稿がない。破れ、折れのある部分を読み取った画素は原稿無し画素となる。破れ、折れがある場合、原稿無し画素の数が多くなる。そこで、データ処理部９は、第１画像データの原稿有り画素のうち、隅に相当する画素を１つ選択する。言い換えると、データ処理部９は、原稿の右上、左上、右下、左下の何れかに相当する原稿有り画素を選択する。例えば、データ処理部９は、第１画像データを左上から右下に向かって走査する。そして、データ処理部９は、最初の原稿有り画素を選択する。この場合、データ処理部９は、第１画像データにおいて原稿の左上隅に相当する画素を選択したことになる。
【００６７】
そして、データ処理部９は、求めた原稿サイズに対応する矩形枠の隅と選択した原稿有り画素を重ねる。例えば、原稿の左上隅に相当する画素を選択した場合、データ処理部９は、選択した画素と原稿サイズに対応する矩形枠の左上隅を重ねる。そして、データ処理部９は、矩形枠内の原稿無し画素の数をカウントする。原稿無し画素の数が一定値以上のとき、データ処理部９は、原稿の欠けがあると判定する。原稿無し画素の数が一定値未満のとき、データ処理部９は、原稿の欠けがないと判定する。なお、他のアルゴリズムにより、原稿の欠けを検出してもよい。
【００６８】
原稿の欠けを検出した場合、読取制御部２０は、操作パネル５に原稿に欠け（破れ、折れ）があることを報知させる（ステップ♯２５）。原稿をセットした使用者は、画像読取装置１００（複合機２００）の近くにいる。そこで、読取制御部２０は、原稿に欠けがある旨のメッセージを表示パネル５１に表示させる。これにより、使用者は原稿の異常を認識する。なお、原稿の欠けを検出しなかった場合、ステップ♯２５は、スキップされる。
【００６９】
次に、データ処理部９は、穴領域を検出する（ステップ♯２６）。穴領域はパンチ穴のような原稿に設けられた穴を読み取った領域である。穴領域は第１画像データ内の領域であって、原稿有り画素に囲まれた原稿無し画素の領域である。原稿無し画素は暗い（黒い）画素となる。言い換えると、第１画像データにおいて、穴領域は濃い画素が集まった領域である。穴領域は不要な領域である。そこで、データ処理部９は穴領域を消す。
【００７０】
図１０に示すように、穴領域の検出のため、例えば、データ処理部９は、穴検出回路９４を含む。穴検出回路９４は、穴領域の検出に関する処理、演算を行う。穴検出回路９４は、第１画像データ内の穴領域を探す。データ処理部９は、第１画像データのうち、穴領域の画素の濃度値を白、又は、地肌の色に変更する（ステップ♯２７）。図１０に示すように、データ処理部９は、穴領域の濃度値を変換する穴埋め回路９５を含む。なお、穴領域がなかった場合、ステップ♯２７は、スキップされる。
【００７１】
データ処理部９は、穴領域の原稿無し画素の濃度値を白色に変換してもよい。また、データ処理部９は、穴領域の原稿無し画素の濃度値を地肌色に変換してもよい。地肌色に変換する場合、データ処理部９は、原稿有り画素のヒストグラムを生成する。ヒストグラムは各濃度値を持つ画素の度数分布である。例えば、データ処理部９は、最も度数（頻度）が高い濃度値を地肌色に定める。
【００７２】
次に、データ処理部９は原稿の傾き方向と傾き量を認識する（ステップ♯２８）。図１０に示すように、傾き方向と傾き量（角度）の認識のため、例えば、データ処理部９は、傾き認識回路９６を含む。傾き認識回路９６は、傾き方向と傾き量の検出に関する処理、演算を行う。なお、送り読み取りでは、原稿はガイドされつつ搬送される。原稿は大きくは傾かない。原稿は傾いても数度程度である。なお、大きく傾いた原稿は、詰まる。
【００７３】
第１画像データのうち、原稿有り画素と原稿無し画素の境界に位置する２点の画素の座標に基づき、第１画像データの傾きを検出できる。例えば、データ処理部９は、原稿の輪郭上の画素であって、主走査方向と平行又はほぼ平行な同一直線上の原稿あり画素を２つ抽出する。例えば、データ処理部９は、第１画像データにおいて、左上隅に位置する原稿有り画素と左下隅に位置する原稿有り画素を選択する。データ処理部９は、２つの画素の座標に基づき、２つの画素をつなぐ直線を求める。求めた直線の傾きの正負により、傾きの方向がわかる。求めた直線の傾きにより、傾き量（角度）が求められる。
【００７４】
データ処理部９は、傾きが無くなるように第１画像データの回転処理を行う（ステップ♯２９）。図１０に示すように、例えば、データ処理部９は、回転補正回路９７を含む。画像データの回転に関する処理、演算を行う。これにより、第１画像データの傾きは矯正される。データ処理部９は、認識した原稿サイズと一致するように第１画像データのサイズを調整する（ステップ♯２１０）。図１０に示すように、例えば、データ処理部９はサイズ調整回路９８を含む。サイズ調整回路９８はサイズ調整に関する処理、演算を行う。
【００７５】
例えば、データ処理部９は回転処理後の画像データを走査する。例えば、データ処理部９は、回転処理後の第１画像データを左上から右下に向かって走査する。データ処理部９は、最初の原稿有り画素を基準画素と定める。データ処理部９は、基準画素を基準とし、トリミングを行う。例えば、認識した原稿サイズに対応する矩形枠の左上隅と基準画素を重ねる。そして、データ処理部９は矩形枠外の画素を削除する。データ処理部９は矩形枠内の画素を残す。なお、他の方法により第１画像データのサイズを調整してもよい。
【００７６】
サイズ調整後の第１画像データは、記憶部３１に出力される（ステップ♯２１１）。そして、本フローは終了する（エンド）。なお、記憶部３１に出力されたデータは、コピーや送信のジョブに利用される。ジョブ実行時、画像処理部３ｂ２ｂは、操作パネル５での設定に合わせた画像処理を記憶部３１の画像データに行う。画像処理後のデータは、コピーや送信のようなジョブに利用される。また、第２画像データは破棄される。
【００７７】
画像読取装置１００には光吸収部材６６が設けられる。第１ランプ６３からの光のうち、原稿で反射されない光は光吸収部材６６に導かれる。つまり、イメージセンサー６２にとっての背景を黒にする。そのため、原稿のうち、低濃度部分を読み取って得られた画素は明るくなる（白くなる）。つまり、第１画像データでは、原稿の低濃度部分を読み取った画素は明るい濃度値となる。一方、第１画像データのうち、原稿の高濃度部分を読み取って得られた画素は暗い（黒い）濃度値となる。また、原稿が無い部分を読み取って得られた画素も暗い濃度値となる。
【００７８】
また、第２ランプ６５はイメージセンサー６２に向けて光を照射する。イメージセンサー６２は第２ランプ６５から発せられ、コンタクトガラスと原稿を透過した光（透過光）を読み取る。透過光読み取りの結果、第２画像データが得られる。原稿がある場合、第２ランプ６５からの光は原稿で反射される。原稿がない部分では、第２ランプ６５からの光はイメージセンサー６２に入射される。第２画像データにおいて、原稿が無い部分に対応する画素の濃度値は明るくなる（白くなる）。原稿がある部分に対応する画素の濃度値は暗くなる（黒くなる）。
【００７９】
そこで、実施形態に係る画像読取装置１００は、コンタクトガラス（送り読取用コンタクトガラス２１）、第１ランプ６３、イメージセンサー６２、光吸収部材６６、第２ランプ６５、制御部（読取制御部２０）、判定部８を含む。コンタクトガラスは、一方側で原稿が搬送される。第１ランプ６３は記コンタクトガラスの他方側に設けられる。第１ランプ６３はコンタクトガラスの一方側に向けて光を照射する。イメージセンサー６２は、コンタクトガラスの他方側に設けられる。イメージセンサー６２は、第１ランプ６３が照射し、原稿で反射された光が入射される。光吸収部材６６はコンタクトガラスの一方側に設けられる。光吸収部材６６は、第１ランプ６３が照射し、コンタクトガラスを通過した光の照射先に設けられる。第２ランプ６５はコンタクトガラスの一方側に設けられる。第２ランプ６５は原稿搬送経路よりもコンタクトガラスから離れた位置に設けられ、イメージセンサー６２に向けて光を照射する。制御部は、原稿を読み取るとき、１ラインの読取期間中、第１期間では第１ランプ６３を点灯させつつ第２ランプ６５を消灯し反射光による読み取りを行わせ、第２期間では第２ランプ６５を点灯させつつ第１ランプ６３を消灯し透過光による読み取りを行わせる。判定部８は、第１期間の読み取りで得られた第１画像データと第２期間の読み取りで得られた第２画像データに基づき、第１画像データの各画素が、原稿を読み取った画素である原稿有り画素であるか、原稿を読み取っていない画素である原稿無し画素であるか、判定する。判定部８は、第１画像データのうち予め定められた第１閾値Ｔｈ１よりも明るい濃度値を有する画素を原稿有り画素と判定する。判定部８は、第２画像データのうち予め定められた第２閾値Ｔｈ２よりも暗い濃度値を有する暗画素を確認し、第１画像データのうち暗画素に対応する位置の画素を原稿有り画素と判定する。これにより、第１画像データにおいて、原稿を読み取った画素（原稿があった画素）を正確に判別することができる。原稿の端部の位置、傾き、穴の有無のような情報を正確に得ることができる。
【００８０】
また、判定部８は、第２画像データのうち第２閾値Ｔｈ２と同じ、又は、第２閾値Ｔｈ２よりも明るい濃度値を有する明画素を確認し、第１画像データのうち明画素に対応する位置の画素であって、第１閾値Ｔｈ１と同じ、又は、第１閾値Ｔｈ１よりも暗い濃度値を有する画素を原稿無し画素と判定する。これにより、第１画像データにおいて、原稿を読み取っていない画素（原稿が無かった画素）を正確に判別することができる。従って、原稿の端部の位置、原稿の輪郭、傾き、穴の有無のような情報を正確に得ることができる。
【００８１】
また、コンタクトガラスの一方側に直角プリズム６７が設けられる。直角プリズム６７は、第１ランプ６３からの光であってコンタクトガラスを通過した光が入射され、第１ランプ６３からの光を光吸収部材６６に入射するように設けられる。また、直角プリズム６７は、第２ランプ６５からの光が入射され、第２ランプ６５から入射した光をコンタクトガラス及びイメージセンサー６２に向けて照射するように設けられる。これにより、第１ランプ６３からの光を光吸収部材６６に導くことができる。また、第２ランプ６５からの光をイメージセンサー６２の方向に導くことができる。
【００８２】
また、画像読取装置１００は第２ランプ６５と直角プリズム６７の間に設けられ、第２ランプ６５からの光を透過し、第２ランプ６５からの光を拡散する拡散板６８を含む。これにより、第２ランプ６５からのイメージセンサー６２への光を分散させることができる。第２ランプ６５からの光を主走査方向で均一化することができる。また、画像読取装置１００は、第１画像データ内のうち、原稿あり画素の領域の幅に基づき、原稿のサイズを認識するデータ処理部９を含む。原稿のサイズを正確に検知することができる。
【００８３】
また、データ処理部９は、原稿有り画素と原稿無し画素の判定結果に基づき原稿の輪郭を認識し、認識した原稿の輪郭に基づき原稿の欠けを検出する。また、画像読取装置１００は原稿の欠けの検出を報知する報知部（操作パネル５）を含む。これにより、原稿の輪郭の異常に基づき、原稿の欠け（破れ、折れ）を検出することができる。そして、原稿の折れ又は破れを使用者に知らせることができる。正しい原稿の読み取りには、折れや破れの改善が必要であることを使用者に知らせることができる。
【００８４】
また、データ処理部９は、第１画像データ内の領域であって、原稿有り画素に囲まれた原稿無し画素の領域である穴領域を検出し、穴領域の画素の濃度値を白、又は、地肌の色に変更する。これにより、パンチ穴のような原稿に設けられた穴を正確に検出することができる。そして、第１画像データに含まれる不要な穴の画像を正確に消すことができる。また、第１画像データに含まれる不要な穴の画像を目立たなくすることができる。
【００８５】
また、データ処理部９は、原稿有り画素と原稿無し画素の境界に基づき、傾き方向と傾き量を求め、傾きが無くなるように第１画像データの回転処理を行う。これにより、搬送原稿の傾きの方向、程度を正確に認識することができる。そして、搬送原稿の傾きに起因する第１画像データの傾きを正確に補正することができる。傾きの無い画像データを得ることができる。
【００８６】
また、画像形成装置（複合機２００）は、画像読取装置１００を含む。原稿の読み取りで得られた画像データにおいて、画像形成装置は原稿を読み取った画素と、原稿を読み取っていない画素と、を正確に判別できる。原稿に関する正確な情報を得られる画像形成装置を提供することができる。
【産業上の利用可能性】
【００８７】
本発明は、画像読取装置やこれを備えた画像形成装置に利用可能である。
【符号の説明】
【００８８】
１００  画像読取装置                    ２００  複合機（画像形成装置）
２０    読取制御部（制御部）            ２１    送り読取用コンタクトガラス
５      操作パネル（報知部）            ６２    イメージセンサー
６３    第１ランプ                      ６５    第２ランプ
６６    光吸収部材                      ６７    直角プリズム
６８    拡散板                          ８      判定部
９      データ処理部                    Ｔｈ１  第１閾値
Ｔｈ２  第２閾値
【図１】
2018085696.tif 000004
【図２】
2018085696.tif 000005
【図３】
2018085696.tif 000006
【図４】
2018085696.tif 000007
【図５】
2018085696.tif 000008
【図６】
2018085696.tif 000009
【図７】
2018085696.tif 000010
【図８】
2018085696.tif 000011
【図９】
2018085696.tif 000012
【図１０】
2018085696.tif 000013